(57)【要約】      （修正有）【課題】釣りエサに対して先端部を小さな力でスムーズに突き刺すことができ、その後は釣りエサから抜けにくい、といった利点を有する、釣りエサの保持具および釣り用仕掛けを提供する。【解決手段】基部側の第一軸部１０と先端側の第二軸部２０とが角部３０をはさんで鉤形に連続する金属線材でできていること、第一軸部１０が、端部に取付け用の環部１１を有すること、第二軸部２０が、角部３０を通る直線３１に沿って延びた真っ直ぐな部分を先端部２１に有するとともに、当該先端部２１と角部３０との間に、直線３１を外れた部分を経由する波形の屈曲部分２２を有すること、を特徴とする。【選択図】図１
0003235600.tif 000002
【実用新案登録請求の範囲】
【請求項１】
釣針に付けられた釣りエサの位置がずれることを防止するために釣りエサに刺し掛けて使用される釣りエサの保持具であって、
基部側の第一軸部と先端側の第二軸部とが角部をはさんで鉤形に連続する金属線材でできていること、
第一軸部が、端部に取付け用の環部を有すること、
第二軸部が、上記角部を通る直線に沿って延びた真っ直ぐな部分を先端部に有するとともに、当該先端部と上記角部との間に、上記直線を外れた部分を経由する波形の屈曲部分を有すること
を特徴とする釣りエサの保持具。
【請求項２】
第二軸部が有する上記波形の屈曲部分が略Ｖ字形状をなすものであることを特徴とする請求項１に記載した釣りエサの保持具。
【請求項３】
第一軸部が有する取付け用の環部は、上記金属線材の端部が、取付け相手側の環部の線材を通すための輪の部分と、当該取付け相手側の環部の線材をその輪の部分に挿入するための外向きに間隔が開いた部分とをともに有する略Ｒ字形状のものであることを特徴とする請求項１または２に記載した釣りエサの保持具。
【請求項４】
第一軸部と、第一軸部が有する上記の環部と、第二軸部と、第二軸部が有する上記波形の屈曲部分とが、同一の平面内に形成されていることを特徴とする請求項１〜３のいずれかに記載した釣りエサの保持具。
【請求項５】
釣りエサを付ける上記釣針の基部に重りが取り付けられていること、
請求項１〜４のいずれかに記載した釣りエサの保持具が、上記重りに設けられた環部に上記第一軸部の取付け用の環部が連結されることによって取り付けられていること
を特徴とする釣り用仕掛け。
【考案の詳細な説明】
【技術分野】
【０００１】
本考案は、テンヤ等において使用され、その釣針に付けられた釣りエサの位置がずれることを防止する釣りエサの保持具、および、当該保持具を含む釣り用仕掛けに関するものである。
【背景技術】
【０００２】
テンヤ等を使用してタコや太刀魚、鯛等の釣りを行う場合、その釣針に付けた釣りエサの位置がずれてしまうことがある。生き餌の場合はそれ自体が動くためにずれることが少なくなく、擬似餌の場合にも、魚が釣れるとそのたびに位置がずれやすい。釣りエサの位置がずれると（またはそれによって釣りエサの姿勢が不自然になると）、魚が警戒してしまうために釣果が上がらなくなることが多い。
【０００３】
釣りエサの位置がずれることを防止する手段の一例は、下記の特許文献１に記載されている。同文献１には、基部に取付け部を有する、直角に折れ曲がった鉤形の金属線材にてなる釣りエサの固定具が示されている。鉤形をなす線材のうち先端側の部分（突き刺し部）を釣りエサに突き刺しておくことにより、釣りエサの位置がずれることを防止する。突き刺し部の最先端を４０°ほど取付け部寄りに屈曲させてあり、その屈曲した部分の作用で、突き刺し部が釣りエサから抜け出ないようになっている。
【先行技術文献】
【特許文献】
【０００４】
【特許文献１】実用新案登録第３１９６２１０号公報
【考案の概要】
【考案が解決しようとする課題】
【０００５】
特許文献１に記載された釣りエサの固定具は、上記のとおり突き刺し部の先端に屈曲部分が設けてあるため、釣りエサに刺した後はその突き刺し部が釣りエサから抜けにくくなる。しかし、先端が曲がっていると、その突き刺し部を釣りエサに突き刺すことが必ずしも容易ではない。鉤形の線材にてなるその固定具を、直角に折れ曲がった角部を指で押すなどして先端側を釣りエサに刺し入れようとするとき、最先端の部分が屈曲していて、突き刺し部が押し進められる方向とは異なる方向を向いているからである。そのため、突き刺すためにかなり強めの力が必要となったり、無理に突き刺すと釣りエサが傷んだりしがちである。
なお、特許文献１の固定具では、鉤形の金属線材の基部に、テンヤ等への取付け部として環状の閉じた（またはＣ字形に開いた）部分がある。テンヤ等に固定具を取り付ける際には、プライヤー等の工具を用いてこの部分を操作してかしめる必要がある。工具を用いてそのような操作をすることは、当然ながら多少の煩わしさがともなう。
【０００６】
本考案は上記のような点を考慮して行ったもので、釣りエサに対し、突き刺し部に相当する部分をより小さな力でスムーズに刺し入れることができ、しかもその部分を突き刺した後は釣りエサから抜けにくい等といった利点を有する、好ましい釣りエサの保持具を提供するものである。
【課題を解決するための手段】
【０００７】
本考案に係る釣りエサの保持具は、釣針に付けられた釣りエサ（エビ等の生き餌のほかワーム等の擬似餌を含む）の位置がずれることを防止するために釣りエサに刺し掛けて使用されるもので、
a)  基部側の第一軸部と先端側の第二軸部とが角部（曲がり角の部分）をはさんで鉤形に連続する金属線材（たとえば直径が０．３〜１．０ｍｍ程度のステンレス鋼線材）でできていること、
b)  第一軸部が、端部に取付け用の環部を有すること、
c)  第二軸部が、上記角部を通る直線に沿って延びた真っ直ぐな（直線状の）部分を先端部に有するとともに、当該先端部（真っ直ぐな部分）と上記角部との間に、上記直線（上記角部を通る直線）を外れた部分を経由する波形の屈曲部分（たとえば、Ｖ字形状やＵ字形状、Ｗ字形状に屈曲したもの、またはサインカーブのようなもの）を有すること
を特徴とする。
本考案の一例を図１に示している。同図に示す釣りエサの保持具１は、第一軸部１０と第二軸部２０とが角部３０をはさんで鉤形に連続する金属線材でできている。第一軸部１０の基部側の端部に、この保持具１を他の釣り具に取り付けるための環状部分である環部１１が形成され、第二軸部２０には、角部３０を通る直線３１に沿った真っ直ぐな先端部２１が最先端を含む先端付近に形成され、その先端部２１と角部３０との間に、直線３１を外れた部分を経由する波形の屈曲部分２２が形成されている。角部３０と屈曲部分２２との間には、図示のように直線状の部分があってもよいが、角部３０からすぐに屈曲部分２２が続いていてもよい。
【０００８】
上記考案の釣りエサの保持具は、釣りエサが付けられた釣針の基部付近に上記の環部を介して取り付けたとき、第二軸部の先端寄りの部分を、釣針上の釣りエサに対して適切に突き刺すことができ、しかも、位置がずれないようにその釣りエサを適切に保持することができる。釣りエサに対して適切に突き刺すことができるのは、第二軸部の先端部に、上記角部を通る直線に沿って延びた真っ直ぐな部分があるからである。この先端部を釣りエサに当てたうえ角部を指などで先端部寄りに押すとき、その力が、角部を通る上記直線の方向、すなわち先端部の真っ直ぐな部分に沿った方向に作用する。したがって、先端部は比較的小さな力で釣りエサに刺さってスムーズにその内部へ進入する。そのうえで、上記波形の屈曲部分が釣りエサ内に入るまで十分に第二軸部を押し入れると、その屈曲部分の作用により、第二軸部が釣りエサから容易には抜け出なくなり、釣りエサをしっかりと保持できるようになる。
【０００９】
上記考案の釣りエサの保持具において、第二軸部が有する上記波形の屈曲部分は、上記金属線材が略Ｖ字形状に屈曲したものであるのがとくに有利である。
上記波形の屈曲部分は、上述のように、上記角部を通る直線に沿った部分から、その直線を外れた部分を経由して再度その直線上に戻る形のものであればよいが、Ｖ字形状に屈曲したものが好ましい。図１にはそのような例を示していて、屈曲部分は、直線３１に沿った部分から半径の小さな曲線部を介して直線３１の外へ直線状に延び、その先で半径の小さな曲線部にてほぼ直角に曲がったうえ直線３１寄りに直線状に進み、再び小さな曲線部を介して直線３１上に戻るという、概ねＶ字の形の波形に形成されている。
【００１０】
第二軸部が有する上記波形の屈曲部分は、上記のとおり略Ｖ字形状のものであると、製造コストの面で有利である。金属線材を塑性変形させて略Ｖ字形状の波形の屈曲部分を形成することは、Ｕ字形状、Ｗ字形状またはサインカーブのような波形の屈曲部分を形成するよりも簡単であり、製造コストを抑えられるからである。しかも、刺し入れられた後の第二軸部が釣りエサから抜け出にくくなって釣りエサをしっかり保持するという作用は、Ｖ字形状であっても、他の波形の場合と同様、十分に発揮することができる。
【００１１】
考案による釣りエサの保持具において第一軸部が有する取付け用の環部は、上記金属線材の端部が、取付け相手側の環部の線材を通すための輪の部分と、当該取付け相手側の環部の線材をその輪の部分に挿入するための外向きに間隔が開いた部分とを、連続してともに有する略Ｒ字形状のものであるととくに好ましい。
図１に例示した保持具においても第一軸部１０の環部１１はそのように形成している。すなわち、金属線材の端部が、取付け相手側の環部の線材（図１には示さないが、たとえば図２（ａ）中の符号４ａの部分）を通すための輪をなす部分１２と、当該相手側の環部の線材をその輪の部分１２に挿入するための外向きに間隔が開いた部分１４とをともに有する略Ｒ字形状のものとなっている。輪の部分１２は概ねＣの字の形をしていて、隣接した位置に線材同士が接近した狭い隙間の部分１３があり、その先に外向きに開いた部分（Ｒ字の脚の部分）１４が続いている。隙間の部分１３での線材間の隙間は、相手側の環部における線材の直径よりも十分に小さく設定してある。
【００１２】
取付け用の環部が上記のようなものであると、取付け相手側の環部（通常その環部は、釣りエサが付けられた釣針の基部付近に設けられている）に対する取付け・取外しをきわめて簡単に行うことができる。なぜなら、上記の保持具を相手側の環部に取り付けるときは、上記の外向きに開いた部分に相手側の環部の線材を押し当てて奥へ（輪の方へ）押し込めば、保持具の金属線材が弾性変形することにより隙間の部分が開き、相手側の環部の線材が輪の内側に進入して双方の環部が連結される。相手側の環部から取り外すときは、相手側の環部の線材を上記と逆の向きに押し動かすと、保持具の金属線材がやはり弾性変形して相手側の環部の線材が輪の外側へ出るため、連結が解かれて保持具が取り外される。こうした環部を有する釣りエサの保持具によると、取付けのたびに、プライヤー等の工具を用いて上記の環部をかしめたり伸ばしたりする必要がなくなる。環部をかしめたり伸ばしたりすることが繰り返されると金属疲労によって該当部分の金属線材が破損する恐れが生じるが、環部を上記のように略Ｒ字形状に形成しておく場合にはそのような破損が生じない。
【００１３】
考案の釣りエサの保持具において、上記した第一軸部と、第一軸部が有する上記の環部と、上記した第二軸部と、第二軸部が有する上記波形の屈曲部分とが、同一の平面内に形成されているとさらに好ましい。
図１に例示した保持具１においても、図１（ａ）に示すとおり、第一軸部１０と環部１１と第二軸部２０と波形の屈曲部分２２とがいずれも同じ平面内におさまっている。
【００１４】
このように釣りエサの保持具が平面的に形成されると、図１（ｂ）の向きに手にとって釣針の基部付近に取り付けたり釣りエサに突き刺したりする場合にも、また、図１（ｂ）とは逆の向きに手にとって同様の操作をする場合にも、使い勝手に差異が生じない。そのため、右利きの人も左利きの人も同じ使用感で使用することができる。また、平面的な構成であるため、釣り場で使用する釣具入れ等に、保持具をコンパクトに整理して収納することが可能になる。
【００１５】
考案の釣り用仕掛けは、
i)  釣りエサを付ける上記釣針の基部に重りが取り付けられていること、
ii)  上記の特徴を有する釣りエサの保持具が、上記重りに設けられた環部に上記第一軸部の取付け用の環部が連結されることによって取り付けられていること
を特徴とする。
このような特徴を有する釣り用仕掛けの一例を図２（ａ）に示している。図示のものはいわゆるテンヤであって、釣針３の基部に重り４が取り付けられていて、その重り４にアイと呼ばれる環部４ａ・４ｂが設けられている。重り４が有するその環部４ｂに対し、上記考案に基づく釣りエサの保持具１が有する上記の環部１１を連結することにより釣り用仕掛け２を構成している。
【００１６】
こうした釣り用仕掛けを使用すると、たとえば図２（ｂ）に示すように釣針３に釣りエサＡを付けるとき、上記考案の保持具における第二軸部をその釣りエサにスムーズに突き刺すことができ、また突き刺したのちは、上記保持具が釣針上の釣りエサをしっかりと保持してその位置ずれを防止することができる。したがって、釣りエサの取扱いを容易に行えるとともに、タコやイカ、太刀魚、鯛などの釣果を上げられることになる。
【考案の効果】
【００１７】
考案に係る釣りエサの保持具は、釣りエサに突き刺す第二軸部の先端部に、角部を通る直線に沿って延びた真っ直ぐな部分があるため、小さな力で押すことによりスムーズに釣りエサに突き刺すことができる。また、第二軸部が当該真っ直ぐな部分と上記角部との間に波形の屈曲部分を有するため、突き刺した第二軸部が釣りエサから容易には抜け出なくなり、位置がずれないように釣りエサをしっかりと保持することができる。
第一軸部が有する取付け用の環部が、取付け相手側の環部の線材を通すための輪の部分と、当該取付け相手側の環部の線材をその輪に挿入するための外向きに間隔が開いた部分とが連続した略Ｒ字形状に形成されたものであると、考案の保持具は、取付け相手側の環部に対して簡単に取付け・取外しできるため好ましい。取付け等の際、プライヤー等の工具を用いてその環部をかしめたりする必要はないわけである。
また、考案の釣り用仕掛けによると、釣針に付けられた釣りエサに上記の保持具（の第二軸部）をスムーズに突き刺すことができるうえ、突き刺された保持具がその釣りエサの位置ずれをしっかりと防止するため、取扱いが容易であり釣果の点でも有利である。
【図面の簡単な説明】
【００１８】
【図１】考案による釣りエサの保持具を例示する図であって、図１（ａ）は保持具１の正面図、同（ｂ）はその平面図（同（ａ）の下側から見た図）である。
【図２】考案による釣り用仕掛けに関する図であって、図２（ａ）は釣り用仕掛け２の斜視図、同（ｂ）はその使用態様を示す斜視図である。
【考案を実施するための形態】
【００１９】
考案による釣りエサの保持具について、実施例を図１（ａ）・（ｂ）に示す。
釣りエサの保持具１は、直径が０．６ｍｍの１本のステンレス鋼線材を曲げ加工することにより製造した金属部品である。図１（ａ）に示すとおり全体が一平面内にある平面的な部品であり、また同（ｂ）のように、ほぼ直角に曲がった角部３０を有する鉤形の屈曲体である。角部３０をはさむ両側の部分（基部側および先端側）に、それぞれ概ね直線状の第一軸部１０と第二軸部２０とが連続している。第一軸部１０と第二軸部２０のそれぞれの長さは１０〜３０ｍｍ程度である。
【００２０】
基部側に相当する第一軸部１０には、この保持具１を他の釣り具（たとえば図２の釣り用仕掛け２）に取り付けるための環部１１を形成し、先端側にあたる第二軸部２０には、真っ直ぐな先端部２１とＶ字形状の波形に曲がった屈曲部分２２とを形成している。いずれの部分も、上記の線材を曲げ加工することにより形成している。
使用方法の詳細は後述するが、この保持具１は、第一軸部１０の環部１１により、当該環部１１を中心に変位し得る状態で他の釣り具に取り付けられる。そして、先端部に相当する第二軸部２０の先端部２１を釣りエサに突き刺して掛け止めることにより、その釣りエサの位置がずれるのを防止する、といった使い方をする。
【００２１】
第一軸部１０の環部１１は、上記の線材を曲げて輪の部分１２を形成したもので、他の釣り具が有する環部の線材をこの輪の部分１２の内側に通すことにより、他の釣り具に対してこの保持具１を取り付ける。他の釣り具に対する取付けと取外しとを、工具類を用いることなく簡単に行えるようにするため、輪の部分１２に続く位置に、微小な隙間（間隔が０．３ｍｍ程度）の部分１３をはさんで、外向きに間隔が開いた部分１４を形成している。それにより環部１１は、平面視したときの形が概ねＲの文字形になっている。外向きに間隔が開いた部分１４の内側に他の釣り具の環部を押し付けると、線材が弾性変形することにより隙間の部分１３が開いて他の釣り具の環部が輪の部分１２に入るため、双方の環部同士が連結される。
【００２２】
第二軸部２０には、角部３０の付近と最先端に近い先端部２１とに真っ直ぐな部分を設けており、双方は、角部３０を通る一本の直線３１に沿って直線状に延びるものとしている。そしてそれら二箇所の直線状部分の中間位置に、上記したＶ字形状の波形に曲がった屈曲部分２２を形成している。
屈曲部分２２は、その両側が直線３１の上にあり、中ほどの部分はその直線３１を外れた位置（環部１１から遠い側）にある。その屈曲の形は、角部３０に近い側から見ると、直線３１に沿った部分から半径の小さな曲線部を介して直線３１の外へ約４５°の角度で直線状に進み、その先で挟角が８０°〜９０°の湾曲した頂部を形成したうえ直線３１寄りに直線状に延び、再び小さな曲線部を介し約４５°曲がって直線３１上に戻る、というものである。全体の形状は概ねＶ字の波形であり、上記の頂部は直線３１から１〜３ｍｍ程度突出した位置にある。
【００２３】
先端部２１を釣りエサに突き刺すには、先端部２１の先を釣りエサの表面に接触させたうえ、角部３０付近を先端部２１の側へ指で押す。この保持具１においては、先端部２１が真っ直ぐであって角部３０を通る直線３１上にあることから、指で押す力が、先端部２１を突き刺す向きに効果的に作用し、先端部２１から屈曲部分２２まで（またはさらに角部３０の手前まで）を釣りエサ内にスムーズに進入させることができる。そうして突き刺した状態の保持具１は、屈曲部分２２が抵抗となるため簡単には釣りエサから抜け出ることがない。
【００２４】
以上に述べた釣りエサの保持具１を取り付けた釣り用仕掛け２を図２（ａ）に示す。
図示の釣り用仕掛け２はいわゆるテンヤであって、釣針（保持針）３の基部に重り４が一体化されたものである。重り４には、他の釣り具類を取り付けるための環部であるアイ４ａ・４ｂが設けられている。一方のアイ４ｂにはスイベル６が連結されていて、そのスイベル６の上側の端部に釣糸が接続される。
【００２５】
釣り用仕掛け２において、上記の保持具１は、重り４に設けられたもう一方のアイ４ａに、副釣針５のための釣糸５ａとともに取り付けている。保持具１のその取り付けは、アイ４ａに対して上述の環部１２を連結することにより行うのであるから、プライヤー等の工具を用いずに簡単に取付け・取外しを実現できる。そして取り付けられた保持具１は、環部１２を中心に旋回するように動かすことができる。
【００２６】
こうした釣り用仕掛け２に対し、釣りに使用するためにエビ等の釣りエサＡを付けた状態を図２（ｂ）に示す。同図では、釣針３に釣りエサＡを取り付けたうえ、その釣りエサＡに副釣針５を刺している。釣針３に付けた釣りエサＡの位置がずれたり、その結果として釣りエサＡの姿勢が不自然なものになったりすると、魚が警戒して食い付いて来ないことから、釣針３に対する釣りエサＡの位置を保持する目的で上記の保持具１を使用する。
【００２７】
保持具１は、上記のとおり環部１２を中心に移動し得るため、図２（ｂ）中の太い矢印の向きに動かして先端部２１を釣りエサＡの表面に当て、上記のように先端部２１や屈曲部分２２が釣りエサＡ内に入るまで押して刺し入れる。保持具１のうち、図１に示す第二軸部２０の長さ方向（つまり直線３１の方向）が釣針３の軸部の長さ方向と直角になるように刺すのがよい。保持具１の形状に基づいて、上記したとおりこの作業はスムーズに行うことができ、釣りエサＡを傷めることもほとんどない。また、屈曲部分２２をも刺し入れることから、釣りエサＡ内に入った保持具１は簡単には抜け出なくなる。そのため、この保持具１を使用すると、釣針３上の釣りエサＡへの掛け留めをスムーズに行うことができ、釣りエサＡをしっかりと保持することができる。結果として、釣果を高めることができる。釣りエサＡが傷みにくいため、繰り返して長く使用できるというメリットもある。
【００２８】
なお、図２にはテンヤとしての釣り用仕掛けを示したが、それ以外の、ジグヘッドやカブラ等と呼ばれる釣り用仕掛けにおいても、考案による釣りエサの保持具を取り付けて使用することができる。
【符号の説明】
【００２９】
１  釣りエサの保持具
２  釣り用仕掛け
３  釣針
４  重り
１０  第一軸部
１１  環部
１２  輪の部分
１４  外向きに間隔が開いた部分
２０  第二軸部
２１  先端部
２２  屈曲部分
３０  角部
３１  直線
Ａ  釣りエサ
【図１】
0003235600.tif 000003
【図２】
0003235600.tif 000004